(57)【特許請求の範囲】
【請求項１】
上部フレームと、底部と、上部フレームにその上端部が枢支されたはね上げ側壁と、上下に分割された分割側壁とからなる折り畳みコンテナーにおいて、相対するはね上げ側壁の内壁面に複数個の保持部材を配設し、隣り合う保持部材間に、板状物の両側端部が挿入可能な溝部が形成されているとともに、はね上げ側壁の内壁面に、折り畳み状態において、蓋部材の天部の裏面に配設された蓋側保持部材が挿入可能な凹部が形成されていることを特徴とする折り畳みコンテナー。
【請求項２】
相対するはね上げ側壁の内壁面に配設された保持部材が、上下方向に所定の間隔を置いて形成された一対の保持凸部からなることを特徴とする請求項１に記載の折り畳みコンテナー。
【請求項３】
底部に立設されたリブ間、及び、蓋部材の天部の裏面に垂設されたリブ間に、それぞれ、緩衝材が配設されていることを特徴とする請求項１又は請求項２に記載の折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
従来、板状物や種々の装置や部材が配設された板状物（以下、単に、板状物と称する。）は、段ボールに収容され、搬送や保管されていた。
【０００３】
【発明が解決しようとする課題】
従来、板状物は、段ボールに収容されて、搬送や保管がなされており、従って、板状物を、損傷することなく、また、安全に、更には、再使用により安価に、搬送や保管をすることができないという問題があった。
【０００４】
本発明の目的は、上述した従来の板状物の搬送問題を解決することにある。
【０００５】
【課題を解決するための手段】
本発明は、上述した目的を達成するために、上部フレームと、底部と、上部フレームにその上端部が枢支されたはね上げ側壁と、上下に分割された分割側壁とからなる折り畳みコンテナーにおいて、第１には、相対するはね上げ側壁の内壁面に複数個の保持部材を配設し、隣り合う保持部材間に、板状物の両側端部が挿入可能な溝部を形成するとともに、はね上げ側壁の内壁面に、折り畳み状態において、蓋部材の天部の裏面に配設された蓋側保持部材が挿入可能な凹部を形成したものであり、第２には、相対するはね上げ側壁の内壁面に配設された保持部材を、上下方向に所定の間隔を置いて形成された一対の保持凸部により構成したものであり、第３には、底部に立設されたリブ間、及び、蓋部材の天部の裏面に垂設されたリブ間に、それぞれ、緩衝材を配設したものである。
【０００６】
【実施例】
以下に、本発明の実施例について説明するが、本発明の趣旨を越えない限り何ら、本実施例に限定されるものではない。
【０００７】
折り畳みコンテナーは、上部フレーム１と底部２とを有しており，上部フレーム１の相対する一方の辺部１ａには，その上端部がヒンジ連結された、折り畳みコンテナーの内側方向に回動可能な側壁（以下、この側壁を，はね上げ側壁という。）３が配設されている。また，上部フレーム１の相対するもう一方の辺部１ｂには，上下に分割されているとともに、適当なヒンジ４ａを介して連結された側壁（以下、この側壁を，分割側壁という。）４が配設されており，分割側壁４は、ヒンジ４ａを挟んで上方に位置する上部分割側壁４’と、ヒンジ４ａを挟んで下方に位置する下部分割側壁４”とから構成されており、上部分割側壁４’の上端部は、上部フレーム１にヒンジ連結され、また、下部分割側壁４”の下端部は、底部２にヒンジ連結されている。
【０００８】
図１に示されているように，箱型に組み立てられた折り畳みコンテナーの略垂直状のはね上げ側壁３を、図２に示されているように、折り畳みコンテナーの内部方向に回動させて、略水平状態とし、次いで、分割側壁４を構成する上部分割側壁４’と下部分割側壁４”を連結しているヒンジ４ａを、折り畳みコンテナーの内部方向に移動させて、上部分割側壁４’と下部分割側壁４”とを重ねることにより、箱型状態の折り畳みコンテナーを、図３に示されているように、高さの低いコンパクトな状態に折り畳むことができるように構成されている。
【０００９】
相対するはね上げ側壁３の内壁面３ａには、上下方向に所定の間隔を置いて、一対の保持凸部ｈ１、ｈ１からなる保持部材Ｈ１、一対の保持凸部ｈ２、ｈ２からなる保持部材Ｈ２及び一対の保持凸部ｈ３、ｈ３からなる保持部材Ｈ３が、３組形成されている。本実施例においては、真ん中に位置する保持部材Ｈ２を構成する保持凸部ｈ２の横幅ｗ２が、この保持部材Ｈ２を挟んで配置されている保持部材Ｈ１及び保持部材Ｈ３を構成する保持凸部ｈ１、ｈ３の横幅ｗ１、ｗ３より、広く形成されているが、当然のことながら、全ての保持凸部ｈ１〜ｈ３の横幅ｗ１〜ｗ３を同じに形成することもできる。また、本実施例においては、各保持部材Ｈ１〜Ｈ３が、上下方向に所定の間隔を置いて配置された、一対の保持凸部ｈ１、ｈ１、ｈ２、ｈ２、ｈ３、ｈ３により構成されているが、各保持部材Ｈ１〜Ｈ３を、それぞれ、１個の保持凸部ｈ１、ｈ２、ｈ３により構成することもできる。更に、このような、保持部材Ｈ１〜Ｈ３は、３組限らず、２組以上であれば、適当組、形成することができる。
【００１０】
相対するはね上げ側壁３に配設された保持部材Ｈ１〜Ｈ３を構成する保持凸部ｈ１、ｈ１、ｈ２、ｈ２、ｈ３、ｈ３は、はね上げ側壁３を、外側から内側に向かって膨出させることにより形成されており、このように、保持凸部ｈ１、ｈ１、ｈ２、ｈ２、ｈ３、ｈ３を、はね上げ側壁３の面変化により形成することにより、はね上げ側壁３の曲げ剛性や強度を高めることができる。
【００１１】
また、各保持部材Ｈ１〜Ｈ３を構成する上方に並設するように配置された３個の保持凸部ｈ１、ｈ２、ｈ３と下方に並設するように配置された３個の保持凸部ｈ１、ｈ２、ｈ３との間に位置するはね上げ側壁３の内壁面３ａには、はね上げ側壁３を外側に膨出させることにより形成された、略方形状の凹部５が形成されている。
【００１２】
相対するはね上げ側壁３の内壁面３ａに形成された一対の保持凸部ｈ１、ｈ１からなる保持部材Ｈ１と一対の保持凸部ｈ２、ｈ２からなる保持部材Ｈ２との間には、板状物Ｂの側端部ｂ１が挿入可能な溝部Ｇ１が形成されており、同様に、一対の保持凸部ｈ２、ｈ２からなる保持部材Ｈ２と一対の保持凸部ｈ３、ｈ３からなる保持部材Ｈ３との間にも、板状物Ｂの側端部ｂ１が挿入可能な溝部Ｇ１が形成されている。
【００１３】
周囲の周状土手部２ａを有する底部２の上面には、所定の間隔をおいて、平行な２本のリブ２ｂが立設されており、このリブ２ｂは、周状土手部２ａを構成する相対する一方の土手部を連結するように形成されている。リブ２ｂは、折り畳みコンテナーを箱型に組み立てた際に、分割側壁４と略平行になるように形成されており、一対のリブ２ｂ間には、発泡合成樹脂や軟質合成樹脂等の適当な材料により形成された緩衝材Ｓが装着されるように構成されている。
【００１４】
６は、蓋部材であり、蓋部材６は、分割側壁４を構成する上部分割側壁４’がヒンジ連結されている上部フレーム１の一方の辺部１ｂに、適当なヒンジ部材Ｃを介して、ヒンジ連結されている。蓋部材６の天部６ａの裏面には、板状物Ｂの上端部ｂ２が挿入可能な間隙を置いて、一対の保持板ｈ４が垂設されており、一対の保持板ｈ４の下端部には、板状物Ｂの上端部ｂ２が挿入し易いように、外側に傾斜した傾斜部ｈ４ａが形成されている。一対の保持板ｈ４により、蓋側保持部材Ｈ４が構成されている。蓋側保持部材Ｈ４を構成する一対の保持板ｈ４に形成された溝部Ｇ２は、分割側壁４に略平行に形成されている。
【００１５】
上述した蓋部材６の天部６ａの裏面に配設された蓋側保持部材Ｈ４は、相対するはね上げ側壁３に配設された保持部材Ｈ１〜Ｈ３間に形成された、板状物Ｂの側端部ｂ１が挿入可能な溝部Ｇ１に対応して、蓋部材６の天部６ａの裏面の略中央領域に形成されている。
【００１６】
蓋部材６の天部６ａの裏面には、所定の間隔をおいて、平行な２本のリブ６ｂが立設されており、このリブ６ｂは、上述した底部２の上面に立設された２本のリブ２ｂと対向するように配置されている。この蓋部材６の天部６ａの裏面に垂設された２本のリブ６ｂ間にも、発泡合成樹脂や軟質合成樹脂等の適当な材料により形成された緩衝材Ｓが装着されるように構成されている。
【００１７】
上部フレーム１にヒンジ連結されている蓋部材６の辺部６ｃと相対する辺部６ｄの略中央部に形成された水平部６ｄ１には、封印用透孔６ｅが穿設されており、また、箱型に組み立てられた折り畳みコンテナーの上部フレーム１に蓋部材６を被蓋した際に、蓋部材６に穿設された封印用透孔６ｅと重なるような上部フレーム１の上部に、同様の封印用透孔１ｃが穿設されている。箱型に組み立てられた折り畳みコンテナーに蓋部材６を被蓋した後、図７に示されているように、上部フレーム１に穿設された封印用透孔１ｃと蓋部材６に穿設された封印用透孔６ｅに、封印用ワイヤーＬを挿通し結束或いは封印することにより、折り畳みコンテナーに蓋部材６を封印状態に被蓋することができるように構成されている。
【００１８】
６ｆは、上部フレーム１とのヒンジ連結部に対して反対側に位置する辺部６ｄに沿って位置するとともに、辺部６ｄの両端部付近に位置する天部６ａを、凹ますことにより形成されたロック用凹部であり、ロック用凹部６ｆ内には、辺部６ｄに対して略直角な架橋リブ６ｆ１が形成されており、ロック用凹部６ｆの底面と架橋リブ６ｆ１の下端との間には、間隙が形成されている。また、ロック用凹部６ｆを形成する外側に位置する側壁６ｆ２にはスリット６ｆ３が穿設されている。
【００１９】
７は、ロック用凹部６ｆに装着されるロック部材であり、ロック部材７の板部７ａが、ロック用凹部６ｆの底面と架橋リブ６ｆ１の下端との間に形成された間隙に挿入されるように構成されている。蓋部材６を、折り畳みコンテナーの上部フレーム１に被蓋した後、ロック部材７の板部７ａの上面に突設された把持部７ｂを持って、ロック部材７を、外側にスライドさせることにより、ロック部材７の板部７ａがスリット６ｆ３から突出するとともに、上部フレーム１の対応する内壁に形成されたスリット１ｄに挿入され、蓋部材６と折り畳みコンテナーの上部フレーム１と施錠されるように構成されている。
【００２０】
上述したように、箱型に組み立てられた折り畳みコンテナーの相対するはね上げ側壁３の内壁面３ａに形成された保持部材Ｈ１〜Ｈ３の隣り合う保持部材Ｈ１〜Ｈ３間に形成された溝部Ｇ１に、板状物Ｂの側端部ｂ１を挿入することにより、相対するはね上げ側壁３間に、略垂直に板状物Ｂを保持する。次いで、蓋部材６を、ヒンジ部材Ｃを中心に、上部フレーム１方向に回動させて、上部フレーム１に重ねることにより、蓋部材６の天部６ａの裏面に垂設された一対の保持板ｈ４からなる蓋側保持部材Ｈ４に形成された溝部Ｇ２に、板状物Ｂの上端部ｂ２を挿入する。
【００２１】
上述したように、箱型に組み立てられた折り畳みコンテナーに収容される板状物Ｂは、その両側端部ｂ１が、相対するはね上げ側壁３の内壁面３ａに形成された保持部材Ｈ１〜Ｈ３の隣り合う保持部材Ｈ１〜Ｈ３間に形成された溝部Ｇ１に挿入され、また、上端部ｂ２が、蓋部材６の天部６ａの裏面に配設された蓋側保持部材Ｈ４の溝部Ｇ２に挿入されているので、折り畳みコンテナーの搬送中に、板状物Ｂが移動するようなことがなく、従って、板状物Ｂの損傷を防止することができる。
【００２２】
また、底部２の上面に立設された一対のリブ２ｂ間に緩衝材Ｓを配設し、この緩衝材Ｓに、収容された板状物Ｂの下端部ｂ３が載置されるように構成するとともに、蓋部材６の天部６ａの裏面に垂設された一対のリブ６ｂ間に緩衝材Ｓを配設し、この緩衝材Ｓに、収容された板状物Ｂの上端部ｂ２を当接するように構成することにより、収容された板状物Ｂの上下方向の移動をより抑制することができ、且つ、上記の緩衝材Ｓにより、板状物Ｂの上端部ｂ２や下端部ｂ３の損傷を防止することができる。
【００２３】
また、箱型状態の折り畳みコンテナーを、図３に示されているように、高さの低いコンパクトな状態に折り畳んだ際には、蓋部材６の天部６ａの裏面に配設された蓋側保持部材Ｈ４を構成する保持板ｈ４は、蓋部材６の下に位置するはね上げ側壁３の内壁面３ａに形成された凹部５に入り込むように構成されているので、略水平状のはね上げ側壁３と蓋部材６とが干渉するようなことがなく、従って、折り畳まれた状態の折り畳みコンテナーの高さを、より低くすることができる。
【００２４】
上述したように、相対するはね上げ側壁３の内壁面３ａに形成された保持部材Ｈ１〜Ｈ３の隣り合う保持部材Ｈ１〜Ｈ３間に形成された溝部Ｇ１に、板状物Ｂの両側端部ｂ１を挿入し保持するようにしたので、はね上げ側壁３に外側から外力が加わっても、板状物Ｂにより、はね上げ側壁３の内側方向への回動が阻止され、はね上げ側壁３が内側方向へ回動するようなことがない。
【００２５】
図１０に示されている実施例は、上述した相対するはね上げ側壁３の内壁面３ａに形成された保持部材Ｈ１〜Ｈ３に代えて、相対するはね上げ側壁３の内壁面３ａに、板状物Ｂの側端部ｂ１が挿入可能な間隙を置いて、一対の上下方向に延在する相対する縦リブｈ５を配設したものであり、また、一対の相対する縦リブｈ５の上部には、外方向に傾斜する傾斜部ｈ５ａが形成されている。上記の一対の相対する縦リブｈ５により、保持部材Ｈ５が形成されており、このような保持部材Ｈ５は、相対するはね上げ側壁３の内壁面３ａに、適当数、配設されている。
【００２６】
上述したような、上下方向に延在する縦リブｈ５により構成された保持部材Ｈ５を形成することにより、高さの異なる種々の板状物Ｂを保持することができるとともに、保持部材Ｈ５を構成する相対する縦リブｈ５の上部に、外方向に傾斜する傾斜部ｈ５ａが形成されているので、縦リブｈ５間に板状物Ｂを挿入する際に、板状物Ｂの下端部ｂ３が、傾斜部ｈ５ａに案内されるので、縦リブｈ５間への板状物Ｂの挿入が容易になる。
【００２７】
【発明の効果】
本発明は、以上説明したように構成されているので、以下に記載されるような効果を奏する。
【００２８】
相対するはね上げ側壁の内壁面に複数個の保持部材を配設し、隣り合う保持部材間に、板状物の両側端部が挿入可能な溝部を形成したので、折り畳みコンテナーの搬送中に、板状物が移動するようなことがなく、従って、板状物の損傷を防止することができるとともに、はね上げ側壁に外側から外力が加わっても、板状物により、はね上げ側壁の内側方向への回動が阻止され、はね上げ側壁が内側方向へ回動するようなことがない。
【００２９】
蓋部材の天部の裏面に、板状物の上端部が挿入可能な間隙を置いて垂下された一対の保持板からなる蓋側保持部材を配設したので、折り畳みコンテナーの搬送中の板状物の移動を、より確実に抑制することができる。
【００３０】
はね上げ側壁の内壁面に、折り畳み状態において、蓋部材の天部の裏面に配設された蓋側保持部材が挿入可能な凹部を形成したので、略水平状のはね上げ側壁と蓋部材とが干渉するようなことがなく、従って、折り畳まれた状態の折り畳みコンテナーの高さを、より低くすることができる。
【図面の簡単な説明】
【図１】図１は箱型に組み立てられ被蓋されていない状態の本発明の折り畳みコンテナーの斜視図である。
【図２】図２は本発明の折り畳みコンテナーの折り畳み途中の斜視図である。
【図３】図３は本発明の折り畳みコンテナーが折り畳まれた状態の斜視図である。
【図４】図４は本発明の折り畳みコンテナーを構成する蓋部材の斜視図である。
【図５】図５は本発明の折り畳みコンテナーを構成する蓋部材の裏面斜視図である。
【図６】図６は箱型に組み立てられ被蓋された状態の本発明の折り畳みコンテナーの斜視図である。
【図７】図７は被蓋された状態の本発明の折り畳みコンテナーの上部フレームと蓋部材の部分拡大斜視図である。
【図８】図８は箱型に組み立てられ被蓋された状態の本発明の折り畳みコンテナーのはね上げ側壁に沿った垂直断面図である。
【図９】図９は折り畳まれた状態の本発明の折り畳みコンテナーの分割側壁に沿った垂直断面図である。
【図１０】図１０は箱型に組み立てられ被蓋された状態の別の実施例の図８と同様の本発明の折り畳みコンテナーのはね上げ側壁に沿った垂直断面図である。
【符号の説明】
１・・・・・・・・・・・・・・・上部フレーム
２・・・・・・・・・・・・・・・底部
３・・・・・・・・・・・・・・・はね上げ側壁
４・・・・・・・・・・・・・・・分割側壁
６・・・・・・・・・・・・・・・蓋部材
Ｈ１〜Ｈ３、Ｈ５・・・・・・・・保持部材
Ｈ４・・・・・・・・・・・・・・蓋側保持部材
【図１】
0003927062.tif 000002
【図２】
0003927062.tif 000003
【図３】
0003927062.tif 000004
【図４】
0003927062.tif 000005
【図５】
0003927062.tif 000006
【図６】
0003927062.tif 000007
【図７】
0003927062.tif 000008
【図８】
0003927062.tif 000009
【図９】
0003927062.tif 000010
【図１０】
0003927062.tif 000011